(57)【要約】  本開示によるアイウェアシステムは、少なくとも１つのテンプルと、前記少なくとも１つのテンプルに設けられたテンプルガイドと、を有していてよく、前記テンプルガイドは、前記テンプルの強磁性材料によって画定されたガイド面を有しており、前記テンプルガイドは、ウェアラブル電子機器が当該テンプルガイドに係合しているとき、前記ウェアラブル電子機器を前記テンプルガイドへのスライド可能な取り付け状態に磁気的に保持するように、かつ前記テンプルに対して相対的な前記ウェアラブル電子機器の横方向の動きを制限するように、構成されている。
2018521345.tif 000002
【特許請求の範囲】
【請求項１】
アイウェアシステムであって、
第１の端部分と第２の端部分とを有したレンズ保持部分を含むフレームと、
前記第１の端部分と第２の端部分のうちの各一方にそれぞれ接続された対を成すテンプルと、を有しており、各前記テンプルは、ヒンジ部分と、前記ヒンジ部分から前記テンプルの遠端部に向かって延在する挿入体とを有しており、前記挿入体は強磁性材料から成っており、前記対のテンプルのうち少なくとも一方は、前記テンプルの長さに沿って長手方向に延在するトラックを有しており、前記トラックの底部は前記挿入体によって画定されており、前記トラックの壁は、前記挿入体の周りに配置された第２の材料によって画定されている、アイウェアシステム。
【請求項２】
前記トラックは、前記トラックの深さに沿って一定の幅を有している、請求項１記載のアイウェアシステム。
【請求項３】
前記トラックは、前記トラックの長さに沿って一定の幅を有している、請求項１記載のアイウェアシステム。
【請求項４】
前記トラックの幅は、強磁性の前記挿入体の幅よりも小さい、請求項１記載のアイウェアシステム。
【請求項５】
前記トラックの前記幅は３．０ｍｍを越えない、請求項１記載のアイウェアシステム。
【請求項６】
前記トラックの前記幅は２．５ｍｍを越えない、請求項１記載のアイウェアシステム。
【請求項７】
前記トラックの前記深さは２．０ｍｍを越えない、請求項１記載のアイウェアシステム。
【請求項８】
前記トラックの前記深さは１．５ｍｍを越えない、請求項１記載のアイウェアシステム。
【請求項９】
前端部は、前記ヒンジ部分から５ｍｍ〜２０ｍｍの遠位側に位置している、請求項１記載のアイウェアシステム。
【請求項１０】
前記トラックは少なくとも１５ｍｍの長さである、請求項１記載のアイウェアシステム。
【請求項１１】
各前記テンプルは１つのトラックを有している、請求項１記載のアイウェアシステム。
【請求項１２】
前記第２の材料はプラスチックである、請求項１記載のアイウェアシステム。
【請求項１３】
前記挿入体は、ばね鋼、またはステンレス鋼、またはこれらの組み合わせを含み、前記第２の材料はアセテートを含む、請求項１記載のアイウェアシステム。
【請求項１４】
前記挿入体の露出面には耐腐食性材料がコーティングされている、請求項１記載のアイウェアシステム。
【請求項１５】
前記挿入体の露出面には着色材料がコーティングされている、請求項１記載のアイウェアシステム。
【請求項１６】
前記挿入体の露出面には低摩擦材料がコーティングされている、請求項１記載のアイウェアシステム。
【請求項１７】
前記トラックは平面図で見て湾曲しており、前記トラックの曲率半径は９０ｃｍ以上である、請求項１記載のアイウェアシステム。
【請求項１８】
前記対の前記テンプルのうち少なくとも一方は、アーム部分と、着用者の耳の上に位置されるように構成された湾曲部で接続されている耳あて部分とを有しており、前記トラックは、前記アーム部分の長さの５０％以上にわたって延在している、請求項１記載のアイウェアシステム。
【請求項１９】
アイウェアシステムであって、
少なくとも１つのテンプルを含むアイウェアフレームと、
前記少なくとも１つのテンプルに設けられたテンプルガイドと、を有しており、前記テンプルガイドは、前記テンプルの強磁性材料によって画定されたガイド面を有しており、前記テンプルガイドは、ウェアラブル電子機器が当該テンプルガイドに係合しているとき、前記ウェアラブル電子機器を前記テンプルガイドへのスライド可能な取り付け状態に磁気的に保持するように、かつ前記テンプルに対して相対的な前記ウェアラブル電子機器の横方向の動きを制限するように、構成されている、
アイウェアシステム。
【請求項２０】
前記少なくとも１つのテンプルは強磁性の挿入体を有しており、前記テンプルガイドは前記テンプルに設けられた長手方向のスロットによって画定されるトラックを有しており、前記スロットは、前記挿入体まで達する深さまで延在しており、前記トラックは前記挿入体によって画定される底部を有しており、前記ガイド面は前記トラックの前記底部によって提供される、請求項１９記載のアイウェアシステム。
【請求項２１】
前記テンプルガイドは、前記テンプルに設けられた長手方向スロットによって画定されたトラックを有しており、前記アイウェアシステムはさらに、前記ウェアラブル電子機器を有しており、前記ウェアラブル電子機器は突出部を有しており、前記突出部は、前記突出部が前記トラック内に少なくとも部分的に挿入されているとき、前記テンプルの強磁性材料に磁気的に吸着されるために、前記突出部内に配置された少なくとも１つの磁石を含んでいる、請求項１９記載のアイウェアシステム。
【請求項２２】
前記テンプルガイドは長手方向のトラックを有しており、前記トラックは、前記トラックの底部に対して垂直の方向に沿って前記トラック内に前記ウェアラブル電子機器の一部を挿入することにより、前記ウェアラブル電子機器を取り付けおよび取り外しできるように構成されている、請求項１５記載のアイウェアシステム。
【請求項２３】
前記テンプルは、前記強磁性材料とは異なる第２の材料を有しており、前記第２の材料は、前記強磁性材料を少なくとも部分的に取り囲む、請求項２０記載のアイウェアシステム。
【請求項２４】
前記第２の材料は前記強磁性材料とは異なる金属である、請求項２３記載のアイウェアシステム。
【請求項２５】
前記第２の材料はプラスチックである、請求項２３記載のアイウェアシステム。
【請求項２６】
前記少なくとも１つのテンプルは挿入体を有しており、前記テンプルガイドは、前記挿入体の長さに沿って長手方向で延在しており、前記テンプルガイドの一部は、前記挿入体によって画定されていて、かつ前記挿入体と一体に形成されている、請求項１９記載のアイウェアシステム。
【請求項２７】
前記テンプルは、前記強磁性材料とは異なる第２の材料を有しており、前記テンプルガイドは前記第２の材料の表面から突出するレールを有している、請求項２６記載のアイウェアシステム。
【請求項２８】
前記レールは、補強材を形成するために前記挿入体と一体に形成されていて、前記補強材は、少なくとも前記補強材の長さの一部に沿ってＴ字形の横断面を有している、請求項２７記載のアイウェアシステム。
【請求項２９】
前記レールの長さは、前記挿入体の長さよりも短い、請求項２６記載のアイウェアシステム。
【請求項３０】
前記テンプルに磁気的に取り付けられるように構成された機器ガイドを含むウェアラブル電子機器をさらに有しており、前記ウェアラブル電子機器は、前記ウェアラブル電子機器が前記テンプルに取り付けられているとき、前記テンプルガイドに沿ってスライド可能である、請求項１９記載のアイウェアシステム。
【請求項３１】
前記機器ガイドは、第１のガイド部材と第２のガイド部材とを有していて、前記両ガイド部材は、前記両ガイド部材の間に通路を画定しており、前記機器ガイドはさらに、前記両ガイド部材の間の前記通路内に配置された磁石を有している、請求項３０記載のアイウェアシステム。
【請求項３２】
前記テンプルガイドはレールを有していて、前記機器ガイドは、前記ウェアラブル電子機器が前記テンプルに取り付けられているとき、前記レールの上面が前記磁石の表面から間隔を置いて位置するように構成されている、請求項３１記載のアイウェアシステム。
【請求項３３】
アイウェアシステムであって、
少なくとも１つのテンプルを含むアイウェアフレームと、
前記少なくとも１つのテンプルに設けられたテンプルガイドであって、前記テンプルの強磁性材料によって画定されるガイド面を有したテンプルガイドと、
前記テンプルガイドを介して前記少なくとも１つのテンプルに磁気的に取り付けられるように構成されたウェアラブル電子機器と、を有しており、前記テンプルガイドは、前記ウェアラブル電子機器が当該テンプルガイドに係合しているとき、前記ウェアラブル電子機器を前記テンプルガイドへのスライド可能な取り付け状態に磁気的に保持するように、かつ前記テンプルに対して相対的な前記ウェアラブル電子機器の横方向の動きを制限するように、構成されていて、前記ウェアラブル電子機器は、
前記強磁性材料に付着する磁石と、
前記アイウェアに前記ウェアラブル電子機器を固定するための付加的な部材と、を有している、
アイウェアシステム。
【請求項３４】
前記テンプルガイドは、底面と２つの壁とを有したテンプルトラックを有している、請求項３３記載のアイウェアシステム。
【請求項３５】
前記ウェアラブル電子機器は、前記トラックの前記底面への磁気的吸着を介して前記少なくとも１つのテンプルに取り付け可能であって、前記ウェアラブル電子機器は、前記少なくとも１つのテンプルに取り付けられているとき、前記トラックの少なくとも１つの壁によって方向付けられている、請求項３４記載のアイウェアシステム。
【請求項３６】
前記テンプルはプラスチックから形成されている、請求項３３記載のアイウェアシステム。
【請求項３７】
前記テンプルは金属から形成されている、請求項３３記載のアイウェアシステム。
【請求項３８】
前記付加的な部材は、前記テンプルの断面を取り囲む固定リングである、請求項３３記載のアイウェアシステム。
【請求項３９】
前記固定リングは半透明または透明である、請求項３８記載のアイウェアシステム。
【請求項４０】
前記固定リングは、１．５ｍｍ未満の横断面コア厚さを有している、請求項３９記載のアイウェアシステム。
【請求項４１】
前記ウェアラブル電子機器が前記少なくとも１つのテンプルに取り付けられているとき、前記磁石は前記テンプルの前記強磁性材料に少なくとも０．５ニュートンで吸着されている、請求項３３記載のアイウェアシステム。
【請求項４２】
前記ウェアラブル電子機器が前記少なくとも１つのテンプルに取り付けられているとき、前記磁石は前記テンプルの前記強磁性材料に１０ニュートン以上で吸着されている、請求項３３記載のアイウェアシステム。
【請求項４３】
前記ウェアラブル電子機器が前記少なくとも１つのテンプルに取り付けられているとき、前記磁石は前記テンプルの前記強磁性材料に１．５ニュートン〜５ニュートンの範囲内で吸着されている、請求項３３記載のアイウェアシステム。
【請求項４４】
前記磁石は棒磁石である、請求項３３記載のアイウェアシステム。
【請求項４５】
ウェアラブル機器アダプタであって、
異なる形状の複数の任意のアイウェアフレームのアイウェアテンプルに前記アダプタを取り外し可能に取り付けるように構成された、伸縮可能な材料から成る本体と、
前記本体に取り付けられる磁気的機構であって、ウェアラブル電子機器を前記アダプタとの取り付け状態に磁気的に保持するように構成された磁気的機構と、を有している
ウェアラブル機器アダプタ。
【請求項４６】
前記磁気的機構は、磁石、または強磁性金属、またはこれらの組み合わせを有している、請求項４５記載のアダプタ。
【請求項４７】
前記伸縮可能な材料は、ウレタン、またはプラスチック、またはゴム、または織布、またはこれらの組み合わせを有している、請求項４６記載のアダプタ。
【請求項４８】
さらに、ウェアラブル電子機器を有している、請求項４５記載のアダプタ。
【請求項４９】
前記ウェアラブル電子機器はカメラである、請求項４８記載のアダプタ。
【請求項５０】
前記ウェアラブル機器アダプタは、前記ウェアラブル機器アダプタを使用して前記ウェアラブル電子機器が前記アイウェアに取り付けられているときに、前記アイウェアテンプルに対して相対的に、予め規定された向きで前記ウェアラブル電子機器を整列させるように構成されている、請求項４５記載のアダプタ。
【請求項５１】
前記ウェアラブル機器アダプタは、前記テンプルに取り付けられているとき、前記テンプルの長手方向軸線に対して相対的に回転可能である、請求項４５記載のアダプタ。
【発明の詳細な説明】
【技術分野】
【０００１】
関連出願とのクロスリファレンス
本出願は、「電子機器用の堅牢なアイウェアトラック、ワイヤレスエネルギ伝達システムおよび取り付け手段」の名称で２０１５年６月１０日に出願された先の出願日の米国特許仮出願第６２／１７３７４１号明細書（U.S. Provisional Application No. 62/173,741）の合衆国第３５法典第１１９条に基づく利益を請求する。上記仮出願は、任意の目的のために、その全体が参照により本明細書に記載されたものとする。
【０００２】
本出願は、「ワイヤレスエネルギ伝送カメラシステム」の名称で２０１５年６月１６日に出願された先の出願日の米国特許仮出願第６２／１８０１９９号明細書（U.S. Provisional Application No. 62/180,199）の合衆国第３５法典第１１９条に基づく利益を請求する。上記仮出願は、任意の目的のために、その全体が参照により本明細書に記載されたものとする。
【０００３】
本出願は、「ワイヤレスエネルギ伝送カメラシステム」の名称で２０１５年６月２９日に出願された先の出願日の米国特許仮出願第６２／１８６３４１号明細書（U.S. Provisional Application No. 62/186,341）の合衆国第３５法典第１１９条に基づく利益を請求する。上記仮出願は、任意の目的のために、その全体が参照により本明細書に記載されたものとする。
【０００４】
本出願は、「磁石吸着材料を含むテンプルトラック」の名称で２０１５年１０月２７日に出願された先の出願日の米国特許仮出願第６２／２４６８０３号明細書（U.S. Provisional Application No. 62/246,803）の合衆国第３５法典第１１９条に基づく利益を請求する。上記仮出願は、任意の目的のために、その全体が参照により本明細書に記載されたものとする。
【０００５】
本出願は、「ウェアラブル電子機器およびセーフティキャッチを含むテンプルトラック」の名称で２０１５年１１月２日に出願された先の出願日の米国特許仮出願第６２／２４９８３９号明細書（U.S. Provisional Application No. 62/249,839）の合衆国第３５法典第１１９条に基づく利益を請求する。上記仮出願は、任意の目的のために、その全体が参照により本明細書に記載されたものとする。
【０００６】
本出願は、「向上されたテンプルトラック」の名称で２０１５年１１月１１日に出願された先の出願日の米国特許仮出願第６２／２５３８１３号明細書（U.S. Provisional Application No. 62/253,813）の合衆国第３５法典第１１９条に基づく利益を請求する。上記仮出願は、任意の目的のために、その全体が参照により本明細書に記載されたものとする。
【０００７】
本出願は、「アイウェア用の磁石吸着を測定する機器および方法」の名称で２０１６年２月１日に出願された先の出願日の米国特許仮出願第６２／２８９４８８号明細書（U.S. Provisional Application No. 62/289,488）の合衆国第３５法典第１１９条に基づく利益を請求する。上記仮出願は、任意の目的のために、その全体が参照により本明細書に記載されたものとする。
【０００８】
本出願は、「高性能のトラックを備えたアイウェア」の名称で２０１６年３月１０日に出願された先の出願日の米国特許仮出願第６２／３０６３３１号明細書（U.S. Provisional Application No. 62/306,331）の合衆国第３５法典第１１９条に基づく利益を請求する。上記仮出願は、任意の目的のために、その全体が参照により本明細書に記載されたものとする。
【０００９】
技術分野
本開示は、ウェアラブル電子機器の取り付け用の磁気的トラックを備えたアイウェアを含むアイウェアシステムに関する。
【００１０】
背景
市販されているウェアラブル電子機器の数および種類は拡大し続けている。今後１０年間でウェアラブル電子機器市場が４倍以上になるだろうとの予想がなされている。この成長を実現するにはいくつかのハードルが残っている。２つの主なハードルは、既存のウェアラブル電子機器の装飾性／美観、およびその限られたバッテリ寿命である。消費者は通常、ウェアラブル電子機器が小さく、目立ちにくく、充電回数が少なくて済むことを望んでいる。ウェアラブル電子機器が小型であるほど、この機器を、アイウェアのような着用可能な物品に取り外し可能に取り付けることがより困難になり、この分野においてさらなる解決策が望まれるだろう。
【００１１】
概要
本明細書のいくつかの実施例によるアイウェアシステムは、第１の端部分と第２の端部分とを有したレンズ保持部分を含むフレームと、前記第１の端部分と第２の端部分のうちの各一方にそれぞれ接続された一対のテンプルと、を有していてよい。各テンプルは、ヒンジ部分と、前記ヒンジ部分から前記テンプルの遠端部に向かって延在する挿入体とを有していてよく、前記挿入体は強磁性材料から成っており、前記対のテンプルのうち少なくとも一方は、前記テンプルの長さに沿って長手方向に延在するトラックを有しており、前記トラックの底部は前記挿入体によって画定されており、前記トラックの壁は、前記挿入体の周りに配置された第２の材料によって画定されている。
【００１２】
本開示の別の実施例によるアイウェアシステムは、少なくとも１つのテンプルと、前記少なくとも１つのテンプルに設けられたテンプルガイドと、を有していてよく、前記テンプルガイドは、前記テンプルの強磁性材料によって画定されたガイド面を有しており、前記テンプルガイドは、ウェアラブル電子機器が当該テンプルガイドに係合しているとき、前記ウェアラブル電子機器を前記テンプルガイドへのスライド可能な取り付け状態に磁気的に保持するように、かつ前記テンプルに対して相対的な前記ウェアラブル電子機器の横方向の動きを制限するように、構成されている。
【００１３】
本明細書の別の実施例によるアイウェアシステムは、少なくとも１つのテンプルを含むアイウェアフレームと、少なくとも１つのテンプルに設けられたテンプルガイドであって、前記テンプルの強磁性材料によって画定されるガイド面を有したテンプルガイドと、前記テンプルガイドを介して前記少なくとも１つのテンプルに磁気的に取り付けられるように構成されたウェアラブル電子機器と、を有していてよく、前記テンプルガイドは、前記ウェアラブル電子機器が当該テンプルガイドに係合しているとき、前記ウェアラブル電子機器を前記テンプルガイドへのスライド可能な取り付け状態に磁気的に保持するように、かつ前記テンプルに対して相対的な前記ウェアラブル電子機器の横方向の動きを制限するように、構成されていて、前記ウェアラブル電子機器は、前記強磁性材料に取り付けられる磁石と、前記アイウェアに前記ウェアラブル電子機器を固定するための付加的な部材とを有している。
【００１４】
本明細書のいくつかの実施例によれば、ウェアラブル機器アダプタは、伸縮可能な材料から成る本体であって、異なる形状の複数の任意のアイウェアフレームのアイウェアテンプルに前記アダプタを取り外し可能に取り付けるように構成された本体と、前記本体に取り付けられる磁気的機構であって、前記ウェアラブル電子機器を前記アダプタとの取り付け状態に磁気的に保持するように構成された磁気的機構とを有していてよい。
【００１５】
図面の簡単な説明
発明の特徴、態様、およびそれに伴う利点は、添付の図面に関連して説明されるとき、本発明を実施するために目下最善の態様を含む様々な実施形態の以下の詳細な説明から明らかになる。
【図面の簡単な説明】
【００１６】
【図１】本開示によるアイウェアシステムのブロック図である。
【図２Ａ】第１実施形態によるアイウェアシステムを示す斜視図である。
【図２Ｂ】第１実施形態によるアイウェアシステムを示す上面図である。
【図２Ｃ】第１実施形態によるアイウェアシステムを示す側面図である。
【図２Ｄ】第１実施形態によるアイウェアシステムを示す横断面図である。
【図３Ａ】本開示の１つの実施形態による挿入体を示す側面図である。
【図３Ｂ】本開示の１つの実施形態による挿入体を示す断面図である。
【図４Ａ】別の実施形態によるアイウェアシステムのテンプルを示す横断面図である。
【図４Ｂ】図４Ａに示したテンプルおよびこのテンプルに取り付けられたウェアラブル電子機器の部分面断面図である。
【図４Ｃ】別の実施形態によるテンプルおよびウェアラブル電子機器を示す横断面図である。
【図５Ａ】別の実施形態によるアイウェアシステムを示す図である。
【図５Ｂ】別の実施形態によるアイウェアシステムを示す図である。
【図５Ｃ】別の実施形態によるアイウェアシステムを示す図である。
【図６】別の実施形態によるテンプルおよびテンプルに取り付けられたウェアラブル電子機器を示す単純化された断面図である。
【図７】さらに別の実施形態によるテンプルおよびテンプルに取り付けられたウェアラブル電子機器を示す単純化された断面図である。
【図８Ａ】別の実施形態によるテンプルの部分側面図である。
【図８Ｂ】別の実施形態によるテンプルの部分断面図である。
【図９Ａ】さらに別の実施形態によるテンプルの部分側面図である。
【図９Ｂ】さらに別の実施形態によるテンプルの部分断面図である。
【図１０】さらに別の実施形態によるテンプルおよびテンプルに取り付けられたウェアラブル電子機器を示す単純化された断面図である。
【図１１】別の実施形態によるアイウェアシステムを示す図である。
【図１２Ａ】図１１のアイウェアのテンプルを示す図である。
【図１２Ｂ】図１１のアイウェアのテンプルを示す図である。
【図１２Ｃ】図１１のアイウェアのテンプルを示す図である。
【図１３】本明細書のいくつかの実施例による機器ガイドを含むカメラの形態の例としてのウェアラブル電子機器を示す図である。
【図１４Ａ】別の実施形態によるテンプルガイドを備えた薄いアイウェアテンプルを示す図である。
【図１４Ｂ】別の実施形態によるテンプルガイドを備えた薄いアイウェアテンプルを示す図である。
【図１４Ｃ】別の実施形態によるテンプルガイドを備えた薄いアイウェアテンプルを示す図である。
【図１４Ｄ】別の実施形態によるテンプルガイドを備えた薄いアイウェアテンプルを示す図である。
【図１５Ａ】本開示の実施形態によるアダプタを示す図である。
【図１５Ｂ】本開示の実施形態によるアダプタを示す図である。
【図１５Ｃ】本開示の実施形態によるアダプタを示す図である。
【図１５Ｄ】本開示の実施形態によるアダプタを示す図である。
【図１５Ｅ】本開示の実施形態によるアダプタを示す図である。
【図１６Ａ】本開示の別の実施形態によるアダプタを示す図である。
【図１６Ｂ】本開示の別の実施形態によるアダプタを示す図である。
【図１７Ａ】本開示の実施形態による機器ガイドを備えたカメラを示す図である。
【図１７Ｂ】本開示の実施形態による機器ガイドを備えたカメラを示す図である。
【図１７Ｃ】本開示の実施形態による機器ガイドを備えたカメラを示す図である。
【図１８Ａ】本開示の別の実施形態による機器ガイドを備えたカメラを示す図である。
【図１８Ｂ】本開示の別の実施形態による機器ガイドを備えたカメラを示す図である。
【図１９】本開示の実施形態による機器ガイドを備えたカメラを示す図である。
【００１７】
詳細な説明
本出願は、ウェアラブルカメラのようなウェアラブル電子機器を可動に（例えば、スライド可能に）取り付けることができるアイウェアを含んでいてよいアイウェアシステムを説明する。いくつかの実施例では、ウェアラブル電子機器をアイウェアに取り外し可能に取り付けることができる。そのために、アイウェアには、ウェアラブル電子機器に係合するためのガイドを設けることができる。このガイドは、１つ以上の方向でウェアラブル電子機器の動きを制限するように構成されていてよい。いくつかの実施例では、このガイドは、所定の方向に沿って電子機器を方向付けることができる。ガイドは、アイウェアのテンプルに設けられてよく、テンプルガイドと呼ぶことができる。いくつかの実施例では、ガイドは、アイウェアのテンプルに設けることができる磁気的トラックの形態であってよく、テンプルトラックとも呼ぶことができる。このガイドは、ウェアラブル電子機器が、テンプルの長さに沿って前方位置と後方位置との間で可動（例えば、スライド可能）であってよいように、テンプルの長さに沿って方向付けられていてよい。このガイドは、前方位置と後方位置との間で規定された方向（例えば、長手方向）とは異なる方向でのウェアラブル電子機器の動きを制限するように構成されていてよい。ウェアラブル電子機器は、例えば、長手方向に対してほぼ垂直な方向でウェアラブル電子機器を動かすことによりガイドから取り外すことができてよい。ウェアラブル電子機器、例えば、カメラは、アイウェアに設けられたガイド（例えば、テンプルガイド）と協働して嵌合するように構成された機器ガイドを含んでいてよい。例えば、機器ガイドは雄型ガイドであってよく、テンプルガイドは雌型ガイドであってよい。別の実施例では、機器ガイドは雌型ガイドであってよく、テンプルガイドは雄型ガイドであってよい。
【００１８】
いくつかの実施例では、ガイドはテンプルと一体になっていてよく、例えば、アイウェアの通常の使用過程ではテンプルから取り外すことはできないものであってよい。いくつかの実施例では、ガイドをテンプルに取り外し可能に取り付けることができる。例えば、ガイドは、ウェアラブル電子機器に係合するように構成されたガイドアダプタ内に組み込まれていてよい。ガイドアダプタは、異なる形状の既存の様々なアイウェアに取り付けるために構成することができる万能アダプタであってよい。このようにして、ガイドアダプタにより既存のアイウェアを、本明細書の実施例によりウェアラブル電子機器との係合のために改良することができる。
【００１９】
図１には、アイウェアシステム５のブロック図が示されている。このアイウェアシステムはアイウェア２０と、このアイウェア２０に取り付けられるウェアラブル電子機器１０とを含む。アイウェア２０のアイウェアフレーム２２は少なくとも１つのテンプル２４を含む。通常、アイウェアフレーム２２は、２つのテンプルを、すなわちアイウェアフレーム２２が着用された際に使用者のそれぞれ左耳および右耳の上に配置されるように構成された左テンプルと右テンプルとを含んでいてよい。アイウェアはさらに、通常、アイウェアフレーム２２が着用された際に使用者の視界に設けられるように構成された少なくとも１つのレンズまたは１対のレンズを含んでいる。
【００２０】
機器ガイドとも呼ばれる、ウェアラブル電子機器１０に設けられたガイド１２と係合するために、ガイド３０がテンプル２４に設けられている。このガイド３０はテンプルガイドとも呼ばれる。テンプルガイド３０と機器ガイド１２とは、スライド可能に係合するように構成されていて、これによりウェアラブル電子機器は、テンプル２４とスライド可能に取り付けられた状態で保持されることができる。テンプルガイド３０は、スライド方向に沿ったウェアラブル電子機器１０の移動をガイドするように構成されていてよい。本明細書の実施例では、テンプルガイド３０と機器ガイド１２とは、磁気的に取り付けられるように構成されていてよい。いくつかの実施例では、機器ガイド１２は、１つ以上の磁石１６を有してよい。いくつかの実施例では、１つ以上の磁石１６は、ネオジウム型磁石、永久磁石、または強磁性材料から成る磁石を含んでいてよい。ガイド３０は、機器ガイド１２との磁気的吸着のために構成されたガイド面３２を有していてよい。いくつかの実施例では、ガイド面３２は、テンプルの強磁性材料により画定されていてよく、これによりガイド３０は、ウェアラブル電子機器１０を磁気的に保持することができる。
【００２１】
ガイド３０および１２は、ウェアラブル電子機器１０がテンプルガイド３０に係合しているとき、ウェアラブル電子機器１０の相対的に横方向の動きを制限するように構成されていてよい。すなわち、ガイド３０および１２は、スライド方向とは異なる１つ以上の方向でのウェアラブル電子機器１０の動きを制限するように構成されていてよい。
【００２２】
図２Ａ〜図２Ｄには、第１実施形態によるアイウェアシステムの構成要素が、斜視図、上面図または平面図、側面図、および横断面図で示されている。アイウェアシステム９５の構成要素は、図１のアイウェアシステム５の構成要素を実現するために使用することができる。例えば、図１のウェアラブル電子機器１０は、図２Ｂに示したようにカメラ１１であってよいが、本開示は、後述するように、ウェアラブル電子機器として、カメラのみを限定するものではない。
【００２３】
図２Ａ〜図２Ｄの実施形態では、アイウェア１００は、１つ以上のレンズ（例えば、処方されたレンズ、着色レンズ、耐破砕性レンズまたは衝撃レンズ、これらを組み合わせたレンズ、またはその他の形式のレンズ）を保持するように構成されたフレーム１０１を有している。フレーム１０１はレンズ保持部分１０２を有しており、レンズ保持部分１０２は、レンズ保持部分１０２の対向する端部に配置された第１部分１０４−１と第２部分１０４−２とを有している。フレーム１０１はさらに、第１テンプル１１０−１（例えば、左テンプル）と第２テンプル１１０−２（例えば、右テンプル）とを含む一対のテンプル１１０を有している。 第１テンプル１１０−１は第１端部１０４−１に取り付けられていて、第２テンプル１１０−２は第２端部１０４−２に取り付けられている。アイウェア１００は、例えばアイウェア１００が着用されるときに適している図２Ａおよび図２Ｂに示した、折り畳まれていない状態で提供されてよい。テンプル１１０−１，１１０−２は端部１０４−１，１０４−２に枢着的に取り付けられている。図示した実施例では、テンプル１１０−１，１１０−２のそれぞれはヒンジ部分１２５（例えば、それぞれ、左ヒンジ部分１２５−１と右ヒンジ部分１２５−２）を有しており、テンプル１１０はそれぞれ各テンプルのヒンジ部分１２５−１，１２５−２を介してレンズ保持部分１０２に取り付けられている。別の実施例ではテンプル１１０は、着用されないときにフレーム１０１を折り畳み状態で提供することを可能にできる任意の別の形式の屈曲部（例えば、リビングヒンジ）を使用してレンズ保持部分に枢着的に取り付けられていてよい。
【００２４】
アイウェア１００は、ウェアラブル電子機器（例えば、カメラ１１）をアイウェアに取り付けるためのガイド１１８を有していてよい。ガイド１１８は、ウェアラブル電子機器（例えば、カメラ１１）をアイウェア１００との取り付け状態に磁気的に保持するように構成されていてよい。いくつかの実施例では、ウェアラブル電子機器（例えば、カメラ）は、２０１５年１２月２３日付けで「ワイヤレスカメラシステムおよび方法」の名称で出願された米国特許出願第１４／７５７７５３号明細書（U.S. Patent Application No. 14/757,753）に記載の任意の実施例により提供されてよい。この明細書は、引用したことによりその全体が任意の目的で本明細書に記載されたものとする。ガイド１１８は、ウェアラブル電子機器（例えば、カメラ１１）をアイウェア１００との取り付け状態に磁気的に保持するように構成されていてよい。ガイド１１８は、ウェアラブル電子機器をアイウェア１００とのスライド可能な取り付け状態に保持するように構成されていてよい。換言すると、ウェアラブル電子機器は、アイウェア１００との取り付け状態に維持されながらもガイドの長さに沿ってスライド可能または移動可能であってよい。ガイド１１８は、ウェアラブル電子機器が取り付けられているフレームの部分に対して相対的なウェアラブル電子機器の動きを１つ以上の方向で制限するように構成されていてよい。ガイド１１８はフレーム１０１に一体的に形成されていてよく、またはフレーム１０１に取り外し不能に取り付けられていてよい（例えば、溶接、ボルト固定、接着等）。いくつかの実施例では、ガイドは、通常の使用過程において、フレームからガイドを取り外すことができるように、フレームに取り外し可能に取り付け可能であってよい。ガイド１１８は、テンプル１１０に設けることができるので、区別なくテンプルガイド１１８と呼ばれてよい。テンプルガイド１１８は、図１のテンプルガイド３０を実現するために使用することができる。いくつかの実施例では、テンプルガイド１１８は、テンプル１１０−１，１１０−２の一方または両方に設けられてよい。
【００２５】
アイウェアシステム９５は、テンプルガイドに取り付けられ、かつテンプルガイドから取り外されるように構成されたウェアラブル電子機器（例えば、カメラ１１）を有していてよい。ウェアラブル電子機器（例えば、カメラ１１）は、アイウェア１００のガイド１１８に係合するように構成することができる機器ガイド（例えば、図２Ｂに示したようなカメラガイド１９）を有していてよい。機器ガイドのさらなる態様は、カメラガイド１９につき説明するが、これらの態様が、異なる形式の電子機器に設けられた機器ガイドにも適用されてよいことは勿論である。カメラガイド１９は、アイウェア１００のテンプルガイド１１８にスライド可能に係合するための形状となっている。この実施例におけるカメラガイド１９は、ハウジングに取り付けられた、またはハウジングに一体成形された突出部の形態の雄型ガイドである。カメラガイドは、テンプルに設けられた雌型ガイド（例えば、トラック１３０）内へとトラックの底部に対して垂直な方向で挿入されるように構成されている。カメラガイド１９は、例えば、カメラ１１のさらなる詳細を示す図４Ｂに示されたように、少なくとも１つの磁石１６を有している。１つ以上の磁石は、希土類ネオジウム型磁石、または別の形式の磁石であってよい。図示した実施例では、磁石は円筒型（例えば、円盤型）磁石であるが、別の形状および構成を使用してもよい。カメラをテンプルに保持するために十分な力を提供するために、任意の数の磁石、例えば１〜６個の磁石を使用してよい。磁石吸着面から磁石を引き離すために必要とされた測定された力（すなわち、引張り力）に基づき定義することができる、磁石とガイド面の強磁性材料との間の吸着力は、磁石のスライドを妨げることなく、または他の形式でアイウェアの光学系に影響を及ぼすことなく、テンプルとの取り付け状態にカメラを維持するのに十分な力が提供されるように調整されてよい。すなわち引張り力は、カメラをテンプルへの取り付け状態で維持するために十分な大きさであってよく、かつスライド中はカメラの移動を妨げないように、さらにはテンプルが大きく屈曲されないことを保証するように十分小さくてよい。テンプルの大きな屈曲は、アイウェアの光学性能に影響を及ぼし、かつ／または損傷となる。いくつかの実施例では、引張り力は、約０．５ニュートン〜約１０ニュートンの範囲であってよい。いくつかの実施例では、引張り力は、約１．５ニュートン〜約５ニュートンの範囲であってよい。すなわち、磁石は、約１．５ニュートン〜約５ニュートンの範囲内の力により、テンプルの強磁性材料に吸着されてよい。いくつかの実施例では、引張り力は、０．５ニュートン未満、または１０ニュートン以上であってよい。
【００２６】
磁石の数とサイズとは調整されてよい。考慮することができる関連する磁石特性は、最大引張り力である。機器ガイドにおける磁石構造を調整する際にはさらに、磁石の磁極の向き、磁気方向、磁界形状、およびその他の特性を考慮することができる。さらに、この明細書の実施例では、それぞれ磁性材料を含むテンプルガイドおよび磁石を含む機器ガイドについて説明しているが、この配置は逆であってもよいことはもちろんである。例えば、磁石がテンプルに設けられていてもよく、強磁性材料がウェアラブル電子機器に設けられていてもよい。
【００２７】
いくつかの実施例では例えば、図１７〜図１９に示した実施例のように、１つ以上の棒磁石を使用することができる。図１７Ａ〜図１７Ｃの実施形態では、カメラ１１は、特注形状の棒磁石１６１６を含むカメラガイド１６１９を有している。棒磁石１６１６はＴ字形であって、この磁石の露出面は、カメラボディに近い側よりも幅が狭くなっている。すなわち磁石１６１６は、比較的広い底面部分１６１６−１と比較的狭い上面部分１６１６−２とを有している。限定的ではない１つの実施形態では、磁石は約１．５ｍｍの高さと、約２．０ｍｍの狭幅部における幅と、約１２ｍｍの長さとを有している。機器ガイドとそれに対応するテンプルガイドの特別な構造が求められる場合は別の寸法が用いられてよい。スロット付き突出部が同様に形成されており、このスロット付き突出部は、（例えば、カメラボディにより近い）底部で比較的広いスロットの幅を、上部で比較的狭いスロットの幅を有している。このような配置は、磁力が発生した場合などに、テンプルガイドへの吸着によりスロット付き突出部内に磁石を機械的に保持する。組み付け時には、磁石１６１６は、カメラガイド１６１９を形成するためにスロット付き突出部１６２０内へと挿入される。いくつかの実施例では、磁石１６１６は、例えば接着剤またはその他の従来の固定技術を使用してカメラ１１に付加的に取り付けられてもよい。別の実施形態では、磁石はカメラに接着されなくてもよく、その代わりに、スナップ機構を介してスロット内に保持されてよい。図１７Ｃに横断面で示したように、スロット付き突出部の壁は、スロット付き突出部の開放端部（例えば、挿入端部）にリップ１６２２を有していてよい。リップにおけるスロットの幅ＷＳは、磁石１６１６の幅ＷＭよりも僅かに小さくてよく、これによりリップ１６２２は、例えば方向１６２４に沿って磁石を挿入するとき一時的に変形されて、次いでスロット内に磁石を保持するようにその公称形状に戻る。いくつかの実施例においては、図１７Ｂに示したように、磁石の露出面は、突出部の底面と同じ高さ（例えば、同一平面）であってよい。別の実施例では、明細書で説明するように、磁石は、突出部の底面から凹んでいてもよい。
【００２８】
図１８Ａおよび図１８Ｂは、カメラ１１の別の実施形態を示している。このカメラ１１は、雄型ガイドの形態の機器ガイド１８１９を有している。機器ガイド１８１９は、図１７Ａ〜図１７Ｃの実施例の棒磁石１６１６と類似のＴ字形の棒磁石１８１６を有している。比較的広幅の底面部分１８１６−１は、磁石１８１６の高さよりも低いスロット付き突出部１８２０内に保持されている。したがって、上方の比較的狭い上方部分１８１６−２は完全に露出しており、テンプルガイド内に挿入される部分として機能する。換言すると、露出した磁石部分（例えば、上方部分１８１６−２）の高さは、トラックの深さＤとほぼ同じであり、露出した磁石部分（例えば、上方部分１８１６−２）の幅は、トラックの幅Ｗとほぼ同じである。磁石１８１６は、突出部１８２０のスロット内に、例えば、リップ部分によって同様に保持されていてよい。別の実施例では、磁石１８１６は、例えば接着剤またはその他の手段によりカメラ１１に付加的に、または選択的に取り付けられてもよい。
【００２９】
図１９は、カメラ１１のさらに別の実施形態を示している。このカメラ１１は、雄型ガイドの形態の機器ガイド１９１９を有している。機器ガイド１９１９の一部は、すなわち磁石１９１６の露出した部分は、テンプルトラック内に挿入されるように構成されている。前述の実施例の磁石１８１６と同様に、磁石１９１６は、比較的広い下方部分１９１６−１と比較的狭い上方部分１９１６−２とを有している。下方部分１９１６−１は、磁石１９１６をカメラ１１に取り付ける作用をする保持プレート１９２０によって取り囲まれている。上方部分１９１６−２は露出しており、上方部分１８１６−２と同様に、テンプルガイド内に挿入される部分として機能するように構成されている。保持プレート１９２０は、ボス１９２２を介してカメラにレーザー溶接されてよく、または別の形式で従来の締結装置（例えば、ボルト、リベット、スナップ機構等）を用いるなどして取り付けられてよい。
【００３０】
図２Ｂ〜図２Ｄに戻るが、テンプル１１０はそれぞれ挿入体１２０を有していてよい。挿入体１２０は金属挿入体（コアワイヤまたは補強材とも呼ばれる）であってよく、テンプル１１０を構造的に補強するために機能することができる。図２Ａ〜図２Ｄの実施形態では挿入体１２０は、ばね鋼、ステンレス鋼（例えば、ＡＩＳＩ４２０）、またはこれらの組み合わせのような強磁性材料から成っている。別の実施例では、挿入体は、ＡＩＳＩ３０１鋼、４００シリーズのステンレス鋼、フェライト系ステンレス鋼、マルテンサイト系ステンレス鋼、二相ステンレス鋼を有していてよい。いくつかの実施例では、強磁性材料は、１．３〜７００の範囲にある透磁性を有していてよい。いくつかの実施例では、強磁性材料は、７００よりも高い透磁性を有していてよい。挿入体１２０は、テンプル１１０を形成するための第２の材料１２８（外側材料とも呼ばれる）によって取り囲まれていてよい、またはほぼ取り囲まれていてよい。第２の材料１２８は、挿入体を形成する材料とは異なる材料であってよい。例えば、第２の材料１２８は、射出成形されるプラスチックのようなプラスチック、またはアセテートであってよい。いくつかの実施例では、第２の材料１２８は金属、例えば、挿入体とは異なる、非強磁性金属のような金属であってよい。挿入体１２０は、ヒンジ部分１２５から、テンプル１１０の遠端部１１６に向かって延在していてよい。いくつかの実施例では、挿入体１２０は、ヒンジ部分１２５に接続されていてよい。例えば、テンプル１１０は、ヒンジ部分１２５をレンズ保持部分１０２に枢着的に固定するためのヒンジピン１２７を収容するように構成されたヒンジバレル１２６を有していてよい。いくつかの実施例では、ヒンジバレル１２６は金属であってよく、挿入体１２０に堅固に接続されていてもよい（例えば、挿入体１２０に溶接されている、または挿入体１２０と一体成形されている）。別の実施例では、挿入体は、ヒンジ部分に接続されていなくてもてよい。
【００３１】
いくつかの実施例では、テンプルガイド１１８は、雌型ガイド（例えば、トラック１３０）の形態で設けられてよい。別の実施例では、テンプルガイド１１８は異なる形状または構造を有していてよい。例えば、テンプルガイドは雄型ガイド（例えば、レール）の形態であってもよく、その例は図１１〜図１３につき後述する。テンプルガイド１１８は、１つ以上のガイド面、例えば底部、側壁、上面、またはガイドの構造に応じてその他の面を有していてよい。図２Ａ〜図２Ｄの実施形態では、テンプルガイド１１８はトラック１３０の形態で設けられている。このトラック１３０は、第２の材料１２８に形成された溝によって画定されている。トラックは、底面または底部１３１と側壁１３３とを有している。トラックは、側壁１３３間の距離により画定される幅Ｗを有している。トラックは、前端壁１３６によって画定される前端部１３５と、後端壁１３８によって画定される後端部１３７とで終端している。トラックは、挿入体１２０を露出させる深さＤまで延在している。したがって、挿入体１２０は、テンプル用の補強材（例えば、コアワイヤ）として機能し、かつテンプルにウェアラブル電子機器を磁気的に取り付けるためのトラック１３０のための強磁性底部も提供する。いくつかの実施例では、幅Ｗは、ガイドの長さＬＧに沿って一定であっていてよい。別の実施例では、トラックは、前端部１３５または後端部１３７またはその両方に向かって先細りしていてよい（例えば、幅Ｗが狭くなってよい）。いくつかの実施例では、トラックは、開放前端部および／または開放後端部を有していてよく、先細りにより、ウェアラブル電子機器がトラックから滑り落ちることを阻止することができる。いくつかの実施例では、幅Ｗは、深さＤに沿って一定であっていてよく、これによりトラックはほぼ矩形の横断面を有している。このような実施例では、ウェアラブル電子機器（例えば、カメラ１１）は、底部１３１に対して垂直方向（例えば、Ｙ方向に対して平行な方向）に沿ってトラック１３０内に機器ガイド（例えば、カメラガイド１９）を挿入することによりトラック１３０に取り付け可能であってよく、かつトラック１３０から取り外し可能であってよい。
【００３２】
非限定的な特別の例としての実施形態では、トラックの幅は２．５ｍｍを越えなくてよく（例えば、幅Ｗは約２ｍｍである）、トラックの深さは１．５ｍｍを越えなくてよく（例えば、深さＤは約１．２５ｍｍ）、トラックの前端部はヒンジ部分から、プラスマイナスの工学誤差（例えば、妥当な誤差に基づき規定された寸法のプラスマイナス１０〜１５％）込みで約５ｍｍ〜約２０ｍｍ遠位に位置していてよく、トラックはテンプルの長さＬの約４５％〜約８５％で延びている。いくつかの実施形態では、トラックの長さは、テンプルの長さの４５％未満であってよく、または８５％を越えていてもよい。
【００３３】
本発明の実施形態は、様々な形状およびサイズを有するテンプル、例えば、比較的単純なプロファイルを有するテンプル、または１つ以上の方向に輪郭付けられたテンプルで実施することができる。例えば、図２Ａ〜図２Ｃに示したように、テンプル１１０は、平面図で見て湾曲されたプロファイルに沿っていてよい。すなわち、テンプル１１０はほぼフラットな部分１１１と輪郭付けられた部分１１２とを含んでいてよい。フラットな部分１１１は、ヒンジ部分１２５から、テンプルの長さＬの約１／４または１／３まで延在していてよいが、別の実施例では、フラットな部分１１１は、テンプルの長さＬの１／４よりも短くてよく、またはテンプルの長さＬの１／３よりも長くてよい。輪郭付けられた部分１１２は、フラットな部分１１１から遠端部１１６まで延在していてよい。輪郭付けられた部分１１２は、概して単純な曲線（例えば、Ｃ字形曲線）を、またはより複雑な曲線（例えば、輪郭付けられた部分が、遠端部に向かって進むにつれて、一方の方向に湾曲し、次いで平坦にされる、または逆方向に湾曲するＳ字形曲線）を画定していてよい。いくつかの実施例では、図１〜図４に示した実施形態のように、ガイド１１８は、フラットな部分１１１および輪郭付けられた部分１１２の両方に沿って少なくとも部分的に延在している。このような実施例では、ガイドはテンプルの湾曲に沿っている。このような実施例では、湾曲（例えば、最小のテンプル曲率半径ＲＭＩＮ、例えば、図４Ｂ参照）は、機器ガイドが、テンプルガイドの全長に沿ってテンプルとの係合状態のままであることを保証するように選択されてよい。いくつかの実施例では、最小のテンプル曲率半径は約９０ｃｍであってよい。別の実施例では、テンプルは、平面図で見たとき、テンプルのほぼ全長にわたって輪郭付けられていてよく、フラットな部分１１１を含まなくてよく、湾曲は、機器が、テンプルガイドの長さに沿って移動される際にテンプルガイドとの係合状態のままであることを保証するようにされていてよい。さらに別の実施例では、テンプルは平面図で見たとき、テンプルのほぼ全長に沿ってほぼフラットであってよい。いくつかの実施例では、テンプルガイドは、（図１４〜図１５の実施形態のように）テンプルのほぼフラットな部分のみに延在していてよい。
【００３４】
側方から見た場合（例えば、図２Ｃ参照）、テンプル１１０は、アーム部分１１３と耳あて部分１１４とを有していてよい。アーム部分１１３は、ヒンジ部分１２５からテンプルの遠端部１１６に向かってほぼまっすぐ後方へと延在していてよい。アーム部分１１３は、テンプル１１０の長さＬの半分以上（例えば、６０％、７０％、７５％、８０％、またはその他）にわたって延在していてよい。いくつかの実施例では、アーム部分１１３はフラットな部分１１１の一部または全部と、輪郭付けられた部分１１２の少なくとも一部とを含んでいてよい。耳あて部分１１４は、着用者の耳の上に沿って位置することができる湾曲部から、テンプルの遠端部１１６まで延在していてよい。耳あて部分１１４は下方に向かって湾曲してよく、これによりテンプルの遠端部１１６は使用者の耳の後ろに位置することができ、これにより例えば、アイウェアを着用する際に使用者頭部にテンプルを固定することができる。本明細書の実施例によれば、ガイド１１８は、テンプル１１０の上述した部分の１つ以上に延在していてよい。いくつかの実施例では、ガイド１１８はアーム部分１１３の長さの殆どにわたって延在していてよいが、耳あて部分１１４に沿って延在しなくてよい。したがってガイド１１８は、ガイドの長手方向に沿ってほぼ直線的であってよく、したがって、ウェアラブル電子機器の動きを直線経路に沿って制限することができる。別の実施例では、ガイド１１８は、アーム部分１１３の僅かな部分（例えば、５０％またはそれ以下）に沿ってのみ延在していてよい。さらに別の実施例では、ガイド１１８は、それぞれアーム部分１１３と耳あて部分１１４との両方に少なくとも部分的に沿って延在していてよく、したがってガイド１１８は、ウェアラブル電子機器を湾曲経路に沿ってガイドすることができる。
【００３５】
テンプルガイドおよび機器ガイドは、ウェアラブル電子機器がアイウェアの前面とほぼ同一平面に位置することができるように構成されていてよい。例えば、トラック１３０の前端部１３５は、オフセット距離Ｏ（例えば、図２Ｂ参照）だけ、アイウェアの前面から間隔を置いて位置していてよく、このオフセット距離Ｏは、ウェアラブル電子機器の前面と機器ガイドの前端部との間の距離にほぼ適合している。
【００３６】
１つの特別な実施形態では、電子機器は複数の円筒磁石（例えば、約１／１６インチの直径を有する１〜６個の磁石）を含んでいて、各磁石は、軸方向に磁化された０．１２ｌｂｓの引張り力を有するＮｉメッキされたＮｄＦｅＢであってよい。磁石の大きさと引張り力とは、ウェアラブル電子機器の形状ファクタ、およびウェアラブル電子機器をトラックに沿ってスライド可能としながらテンプルへの磁気的な取り付け状態にウェアラブル電子機器を保持するために必要な力を考慮して調整されてよい。いくつかの実施例では、磁石は、ウェアラブル電子機器をトラックに取り付けた際に所定のギャップ分だけ底部から間隔を置かれていてよい。このような実施例では、磁気的に取り付けられたウェアラブル電子機器は、トラックの表面（例えば、底部１３１）の上方に実質的に浮くことができ、これにより、トラックに沿ったウェアラブル電子機器のスライド性を改善することができ、またはアイウェアの美的表面を傷つける危険を減じることができる。いくつかの実施例では、底部１３１には、美観的または機能的であってよい付加的な層がコーティングされていてよい。例えば、底部１３１には、摩擦低減層（例えば、テフロンのような低摩擦材料）がコーティングされていてよい。いくつかの実施例では、底部１３１には耐腐食性材料がコーティングされていてよい。いくつかの実施例では、付加的な層は、底部を、第２の材料の色と適合する色で着色するための、または底部をアクセントカラーで着色するための層または塗料であってよい。いくつかの実施例では、底部１３１は、ラッカ、塗料、ワニス、またはその他の任意の形式のコーティングで被覆されていてよい。いくつかの実施例では、底部１３１は、ニッケル、銅、亜鉛、金、銀、またはこれらの組み合わせによりメッキされていてよい。
【００３７】
図３Ａ〜図３Ｂは、テンプル（例えば、テンプル１１０）内に組み付けられる前の挿入体２２０を示している。挿入体２２０は、例えば、ステンレス鋼板またはばね鋼板のようなバルク材から（例えば、図３Ｂに示したような）所望の形状へと薄い金属ストリップを打ち抜き加工することにより形成することができるほぼフラットな細長い部材であってよい。いくつかの実施例では、挿入体２２０は、挿入体の全長に沿ってほぼフラットであっていてよい。挿入体は、鋼、ステンレス鋼、例えば少なくとも１０．５質量％のクロム含有量を含む鋼合金、または他のものから製造することができる。異なる鋼の合金を使用することもでき、適切な合金を決定する際に考慮されるべき関連する特性は、硬さ（例えば、マルテンサイトのミクロ組織）のレベル、およびニッケル含有量を含んでいてよい。いくつかの実施例では、挿入体２２０または挿入体２２０の一部は被覆されていてよく、例えば、露出していてガイド面を提供する挿入体の側面は、耐腐食性材料、摩擦低減材料、他の材料の色またはアクセントカラーと同じであってよい塗料のような着色材料、またはその他の形式のコーティングによって被覆されてよい。いくつかの実施例では、挿入体２２０は、テンプル内に組み付けられる前にそのようにコーティングされてよい。別の実施例では、挿入体がテンプル内に組み付けられてから、挿入体２２０の露出部分だけがコーティングされてもよい。
【００３８】
挿入体２２０は、挿入体２２０と挿入体を取り囲む外側材料（例えば、第２の材料１２８）との間の相対的な長手方向の動きを阻止するように構成された１つ以上のくわえ爪２１６を付加的に含んでいてよい。くわえ爪２１６は、挿入体２２０と外側材料との間の摩擦を増大させることができる表面模様付きの部分として実現されてもよい。くわえ爪２１６は、挿入体２２０の長さに沿った１つ以上の場所に位置していてよく、例えば前端部、および／または挿入体２２０の長さに沿った中間的な場所に位置していてよい。くわえ爪は挿入体２２０の任意の面に沿って設けられてよい。挿入体２２０は、前方部２２３と後方部２２２とを含んでいてよい。前方部２２３は、テンプルの直線部（例えば、直線部１１３）の長さにほぼ対応するように選択された長さを有していてよい。後方部２２２は、テンプルの湾曲部（例えば、湾曲部１１４）の長さにほぼ対応するように選択された長さを有していてよい。前方部２２３は後方部２２２よりも幅広であってよい。前方部２２３は、トラックの底部として機能するために十分広くすることができる。換言すると、前方部２２３の幅ＷＩは、トラック１３０の幅Ｗよりも大きくてよい。テンプルのジオメトリに応じて、挿入体の幅は、約２．５ｍｍ〜約６ｍｍの範囲内、またはそれ以上であってよく、厚さＴＩは、約０．３ｍｍ〜約１ｍｍの範囲内、またはそれ以上であってよい。非限定的な１つの特別な実施形態では、挿入体は、約４．８ｍｍの幅ＷＩと、約０．６ｍｍの厚さＴＩとを有していてよい。その他の寸法も勿論、別の実施形態において使用されてよい。非限定的な例としての実施形態では、前方部２２３の幅は、約３．０ｍｍ〜約５ｍｍであってよく、いくつかの実施例では約３．５ｍｍ〜約４．８ｍｍであってよいが、この幅は、特別なテンプルデザインに応じて異なっていてよい。後方部２２２の幅は、前方部２２３の幅の半分以下であってよい。後方部は、後方部２２２の下方側、または後方部２２２の上方側、または後方部２２２の前記両側に沿って配置された１つ以上のノッチ２２５を有していてよい。ノッチ２２５により後方部２２２を、（例えば、図２Ｃに示したような）テンプルの湾曲部に対応する形状となるようにより容易に変形させることができ、かつ特別な使用者にフィットするようにテンプルの形状（例えば、湾曲部の湾曲）をさらに調節することができる。
【００３９】
挿入体（例えば、コアワイヤ）は、軟化された射出成形プラスチックテンプル内に挿入されたヒンジバレルに取り付けられて（例えば、溶接されて）よい。別の実施例では、プラスチックテンプルは、コアワイヤの周りにインサート成形されてよく、テンプルは、冷却過程／硬化過程中に形作られ、かつコアワイヤに取り付けられる。さらに別の実施例では、挿入体は、アセテート積層テンプル内に埋め込まれてもよく、このテンプルはその後、最終的にきれいな外観をえるために形を整え、つや出しすることができる。付加的なくわえ爪は、特に、挿入体がヒンジに取り付けられない場合に、外側材料と挿入体との間の取り付けを向上させることができる。いくつかの実施例では、テンプルとコアワイヤとが組み付けられた後で、例えばレーザー切断によって、プラスチック材料に、フラットな挿入体に到達する深さまでスロットを切り込むことによりトラックを形成することもできる。別の実施例では、成形過程中にトラックの形状を画定するために、例えば、型、または付加的な／取り出し可能なインサートを使用して、成形過程中に最初にトラックを形成することもできる。
【００４０】
いくつかの実施例では、アイウェアシステムはセーフティキャッチ１８０を有していてよい。セーフティキャッチ１８０は、ウェアラブル電子機器がガイド１１８から誤って外れてしまった場合に、アイウェア１００からウェアラブル電子機器（例えば、カメラ１１）が分離するのを阻止するように構成されてよい。セーフティキャッチ１８０は、ウェアラブル電子機器（例えば、カメラ１１）とアイウェアフレーム１０１とに固定されたストラップ１８２（例えば、固定リング、ランヤード、またはその他）を含んでいてよい。いくつかの実施例では、ストラップ１８２はプラスチック、例えば柔軟なプラスチック材料から成っていてよい。いくつかの実施例では、ストラップ１８２は、テンプル１１０の横断面を取り囲む固定リングであってよい。固定リングは、半透明または透明な材料から成っていてよい。別の実施例では、ストラップ１８２は、テンプルの色と同じ色であってよい。いくつかの実施例では、固定リングは、１．５ｍｍ未満の横断面コア厚さを有していてよい。いくつかの実施例では、ストラップ１８２は、モノフィラメント糸またはナイロン、ポリビニリデンフルオリド（ＰＶＤＦ）、ポリエチレン、ダクロン、ダイニーマ、またはその他の紐から成っていてよい。いくつかの実施例では、ストラップ１８２はゴムのような弾性材料から成っていてよい。例えば、ストラップ１８２はシリコンゴムのようなエラストマから成っていてよい。天然繊維、または合成材料のような別の材料を使用することもできる。ストラップは、金属（例えば、単芯または多芯ワイヤ、チェーン、またはその他）から成っていてもよい。ストラップ１８２は、ウェアラブル電子機器に設けられた固定機構１８４に取り付けられてよい。別の構造をセーフティキャッチのために使用することもでき、そのうちのいくつかの実施例を図５Ａ〜図５Ｃにつき以下にさらに説明する。
【００４１】
次に図４Ａおよび図４Ｂによれば、別の実施形態によるアイウェアシステムの部分断面図が示されている。テンプル２１０は、テンプル２１０の外面２０７に設けられたトラック１３０の形態のテンプルガイド１２０を含む。テンプル２１０は、テンプル２１０の剛性を増大させる挿入体２１４（例えば、コアワイヤ）を含んでいてよい。挿入体２１４は、この実施形態では磁気的トラックの一部を形成しないので、強磁性である必要はない。この実施例は付加的に、テンプルガイド１２０の底部に配置された強磁性材料から成るストリップ２１５（金属ストリップとも呼ばれる）を含む。ストリップ２１５は、テンプルの面上に（例えば、トラックを画定するスロットの底部に沿って）金属材料の層を堆積させることにより、またはトラックの底部に別個の金属ストリップを取り付けることにより（例えば、ボンディングすることにより）設けることができる。ストリップ２１５は、テンプルガイド１２０とウェアラブル電子機器のガイドとの間の磁気的吸着を向上させることができる。ストリップ２１５は挿入体２２４から間隔を置かれていてよい。トラック１３０の深さＤは、図１および図５の実施形態とほぼ同じであってよいが、この第２の実施形態のテンプル２１０の厚さＴ２は、挿入体が、剛性化コアワイヤとトラック１３０の磁気的底部の両方の機能性を提供する第１の実施形態におけるテンプル１１０の厚さＴ１よりも大きくてよい。いくつかの実施例では、挿入体を省くことができる。いくつかの実施例では、トラック１３０の深さＤは約１ｍｍまでであってよい。このような実施例では、テンプルは、トラックの底部に沿って設けられた金属材料の薄い層（例えば、コーティング）を除いて、実質的に非金属材料（例えば、射出成形可能なプラスチックまたはアセテート）から成っていてよい。このような薄い層は、補強材として働くためにテンプルの剛性を著しく増大させることはできないが、他方では、テンプルガイド１２０とウェアラブル電子機器のガイドとの間の磁気的吸着を向上させる。
【００４２】
図４Ｂには、テンプル２１０、およびテンプル２１０に取り付けられた例としてのウェアラブル電子機器（例えば、カメラ１１）の部分面横断面図が示されている。カメラ１１は機器ガイド１９を有していて、この機器ガイド１９は、トラック１３０内に少なくとも部分的に収容されるように構成されている。
【００４３】
図５には、別の実施形態によるテンプル３１０、およびテンプル３１０に取り付けられた例としてのウェアラブル電子機器１０の部分面横断面が示されている。この図示した実施形態では、ウェアラブル電子機器１０は機器ガイド１２を有していて、この機器ガイド１２は、トラック３３０内に少なくとも部分的に収容されるように構成されている。トラック３３０は、テンプルの強磁性材料により画定される底部３３１を含む（例えば、図２Ｄの実施例のように強磁性挿入体の露出面、または図４Ａの実施例のようにストリップ２２９のような強磁性層）。この実施例のウェアラブル電子機器１０の機器ガイド１２は雄型ガイド（例えば、突出部３７０）である。１つ以上の磁石１６が突出部３７０に取り付けられている。１つ以上の磁石１６は、突出部３７０に設けられた対応する凹部に取り付けられてよく、または磁石の表面が露出しないように突出部３７０内に埋め込まれてよい。突出部３７０は、１つ以上の磁石の露出面によって画定することができる、または磁石が埋め込まれている場合にはエンクロージャの面によって画定することができる上面３７２を有していてよい。この図示した実施形態では、突出部３７０は、ウェアラブル電子機器１０がテンプル３１０に取り付けられる場合に上面３７２が底部３３１に接触しないように構成されている。ウェアラブル電子機器１０がテンプル３１０に取り付けられたとき、対向する上面３７２と底部３３１との間に画定されるギャップＧにより、ウェアラブル電子機器１０をより容易に、ガイド３１８に沿ってスライドさせることが可能となる（例えば、トラックの底部３３１に沿って浮いている）。いくつかの実施例では、ギャップＧは０．１ｍｍ未満であってよい。いくつかの実施例では、ギャップＧは０．０５ｍｍ未満であってよく、例えば、０．０４ｍｍ、０．０３ｍｍ、または０．０１ｍｍである。
【００４４】
アイウェアシステムの全ての実施形態は、機器ガイドとテンプルガイドの対向する磁気的吸着面の間にギャップＧが含まれるように構成されてよいことは勿論である。換言すると、カメラ１１とテンプルガイド１１８とは例えば、カメラガイド１９の底面とトラック１３０の底部１３１とが、通常の使用中には接触しないように構成されてよい。いくつかの実施例では、磁石は特別に、テンプルの全ての外観的表面に対する磁石のこすりつきを回避するように、テンプル面から間隔を置いて配置されてよい。このような間隔の配置は、機器ガイドの底面の下方で磁石に切欠を設けることにより得られる。これにより機器ガイドの底面は、トラックの底部には接触することができるが、磁石自体には接触しない。機器ガイドの底面は、ハウジングの一部であってよく、またはハウジングに取り付けられてよく、したがってテンプル損傷のリスクを減じるプラスチック材料により形成することができる。トラックの壁および底部を含む、テンプルの外面上におけるようなテンプルの全ての露出面は仕上げ面（例えば、アイウェアの仕上げられたきれいな外観部分として機能する面）であることがわかるだろう。換言すれば、アイウェアは、アイウェアにウェアラブル電子機器が取り付けられていても取り付けられていなくても、アイウェアの美的外観を損なうことなく着用することができ、いくつかの実施例ではアイウェアの美的外観は、トラックの存在により向上されることもある。したがって、テンプルへのウェアラブル電子機器の取り付けは、アイウェアの使用を享受するために着用者にとって必要条件ではなく、例えば、ウェアラブル電子機器の取り付け、または別の任意の形式の機構は、アイウェアのための仕上げられた美的外観を提供するのに本質的なものではない。
【００４５】
アイウェアシステムのセーフティキャッチの別の実施例を、図５Ａ〜図５Ｃにつき説明する。図５Ａのセーフティキャッチ１８０’は、テンプル１１０に取り付けられたランヤード１８２と、カメラ１１に取り付けられた固定機構１８４とを含む。図２Ｂにつき説明したようにテンプルの周りにループ状に形成されるのではなく、このランヤードは、テンプル１１０の下面１０３に取り付けられている。ランヤードは、テンプルの下面１０３に設けられたＴ字形のスロット内に収容されるＴ字形の取付け部１８６を含む。Ｔ字形スロットは、ガイド１１８の長さと同じ距離またはほぼ同じ距離にわたって延在していてよく、これによりランヤードは、取付け部１８６を介してＴ字形スロットへ取り付けられたままカメラに沿ってスライドすることができる。Ｔ字形スロットは、テンプルの前端部１１５または遠端部１１６に開放端部を有していてよく、これにより、所望の際にカメラ１１をアイウェアフレームから取り外すことができる。
【００４６】
図５Ｂのセーフティキャッチ１８０’’は、テンプル１１０に取り付けられたランヤード１８２と、カメラ１１に取り付けられた固定機構１８４とを含む。図２Ｂにつき説明したようにテンプルの周りにループ状に形成されるのではなく、このランヤードは滑子１８８に取り付けられている。この滑子１８８も、ガイド１１８に沿ってスライドするように構成されている。滑子は、機器ガイドと同様の形式で、ガイド１１８に磁気的に取り付けられてよい。いくつかの実施例では、滑子は、機器ガイドとテンプルガイドとの間の磁力と比較して、テンプルガイドへのより強力な磁気的吸着力を呈示するように構成されている。いくつかの実施例では、テンプルガイドは、テンプルガイド内に滑子を機械的に保持するように形成されてよい。
【００４７】
図５Ｃの実施例では、セーフティキャッチ１８０’’’は、一方の端部ではテンプルガイド１１８の後端部に配置された固定部１８７に、反対側の端部では固定機構１８４に、取り外し不能に取り付けられたランヤード１８２を含んでいる。ランヤード１８２の長さは、ガイドの後端部から前端部までの全ての経路でカメラの移動が可能であるようにするのに十分である。このようにして、セーフティキャッチ１８０’’’は、ガイドに沿ったカメラの移動を可能にしながらカメラ１１をテンプルにつながれた状態に維持する。
【００４８】
図６は、アイウェアシステム４０５の別の実施形態を単純化して示した断面図である。このアイウェアシステムは、アイウェアフレームのテンプル４１０と、このテンプル４１０に取り付けられたウェアラブル電子機器４１１（例えば、カメラ）とを有している。ウェアラブル電子機器４１１は機器ガイド４１２を有している。機器ガイド４１２はアーム４１７上に設けられていてよい。アーム４１７は、テンプル４１０の上面４０９わたって位置するように構成されている。アーム４１７は、ウェアラブル電子機器４１１を異なる厚さのテンプルに取り付けることができるように、伸ばすことができるようになっていてよい（例えば、伸縮式アーム）。機器ガイド４１２は、アームに取り付けられる磁石４１６を有している。いくつかの実施例では、磁石の表面は、ウェアラブル電子機器４１１をテンプルに取り付けた際に磁石がテンプルに接触するように露出されていてよい。別の実施例では、アイウェアフレームの美的外観面に対する損傷（例えば、すりきず）を減じるために磁石とテンプル表面との間に境界層が設けられていてよい。境界層がない場合、スライドしながらアイウェアと接触する磁石によって、このような損傷が生じることがある。境界層は、例えば磁石をアームの接触面の僅かに下方に埋め込むことにより、または磁石の露出面上に設けられたコーティングにより設けることができる。コーティングは、摩擦低減コーティングであってよい。
【００４９】
テンプル４１０はテンプルガイド４１８を含んでいてよい。この実施例ではテンプルガイドはテンプル４１０の上面に位置している。テンプルガイドは雌型ガイド（例えば、トラック）の形態であって、ガイドの底部に設けられた強磁性ストリップ４２９を有している。テンプル４１０は付加的に、強磁性であってよい、または強磁性でなくてよい挿入体４２４と、この挿入体を取り囲む外側材料４２８とを有していてよい。本明細書の実施例によれば、テンプルガイド４１８は、テンプルに対して相対的に１つ以上の方向でウェアラブル電子機器４１１の動きを束縛するガイド面（例えば、底部４３１および側壁４３３）を有している。少なくとも１つのガイド面、この実施例では底部４３１は、ストリップ４２９の強磁性材料によって画定されている。別の実施例では、ストリップ４２９は、上面４０９の近くにストリップを配置するなどして、このストリップが底部４３１ではなく側壁４３３を画定するように配置されていてよい。別の実施例では、ストリップ４２９は、トラックの形状を画定するＬ字形の強磁性部材を使用するなどして、このストリップが側壁４３３と底部４３１の両方を画定するように配置されていてよい。
【００５０】
図７は、アイウェアシステム５０５の別の実施形態を単純化して示した断面図である。このアイウェアシステムは、テンプル５１０と、このテンプル５１０に取り付けられたウェアラブル電子機器５１１を有している。ウェアラブル電子機器５１１は、ウェアラブル電子機器５１１の側面５１３に沿って設けられていてよい機器ガイド５１２を有している。機器ガイド５１２は、磁石５１６と、付加的にこの磁石から間隔を置いて配置されたガイド突出部５１４とを有していてよい。テンプルは材料５２８から形成されていてよく、付加的に、この材料５２８に埋め込まれたコアワイヤ５２４を有していてよい。テンプル５１０はテンプルガイド５１８を含んでいてよい。テンプルガイド５１８は、材料５２８の外面と同一平面を成していてよい強磁性ストリップ５２９を有していてよい。テンプルガイド５１８は付加的に、ストリップ５２９から間隔を置いて位置する溝５１５を有していてよく、この溝は突出部５１４を収容するように形成されている。磁石５１６は、ウェアラブル電子機器５１１の側面５１３がテンプル５１０の外面５０７に面して配置されている場合に、ストリップ５２９に当接するように配置されていてよい。突出部５１４と溝５１５とは、例えばテンプルガイド５１８に係合するようにウェアラブル電子機器５１１を位置決めするために、かつウェアラブル電子機器５１１がテンプル５１０に取り付けられたままの状態でテンプルに対して相対的な１つ以上の方向でのウェアラブル電子機器５１１の動きを制限するために、位置決めおよび連結機構として機能することができる。図示した実施例では、ストリップ５２９は、テンプル５１０の上面５０９近くに位置していて、単一の溝５１５は、ストリップ５２９の下方に間隔を置いて設けられている。別の実施例では、ストリップは、異なるように配置されていてよく、異なる配置と異なる数の溝が使用されてよい。
【００５１】
例えば、図８Ａおよび図８Ｂは、別の実施形態によるテンプル６１０の部分側面図および断面図を示している。テンプル６１０は、プラスチックのような材料６２８から形成されていてよく、付加的に、この材料６２８に埋め込まれたコアワイヤ６２４を有していてよい。テンプル６１０はガイド６１８を有していて、このガイドは、テンプル６１０の外面６０７とほぼ同一平面に位置している強磁性ストリップ６２９を有している。ストリップ６２９から間隔を置いて、ストリップ６２９の長さに沿って延在するように１つ以上の溝６１５が設けられていてよい。各溝は、ウェアラブル電子機器（この図には示さず）上の対応する突出部に係合するように構成されていてよい。このような形式で、ガイド６１８は、ウェアラブル電子機器をテンプルへの（例えば、磁気的吸着による）取り付け状態に磁気的に保持するように構成されていてよく、さらに、テンプルに対して相対的な１つ以上の方向（例えば、上下、面内回転、等）でのウェアラブル電子機器の動きを制限するように機能することができる。
【００５２】
別の実施例では、図９Ａおよび図９Ｂに示したように、テンプル７１０は同様に、プラスチックのような材料７２８から形成されていてよく、付加的に、この材料７２８に埋め込まれたコアワイヤ７２４を有していてよい。テンプル７１０は同様にガイド７１８を有していてよく、このガイドは、テンプル７１０の外面７０７とほぼ同一平面に位置している強磁性ストリップ７２９を有している。しかしながらこの実施例では、１つ以上の溝７１５がストリップ７２９に設けられていてよい。溝７１５は、ストリップ７２９の露出面に対して開かれたほぼ矩形の通路であってよく、ストリップ７２９の長さに沿って延在している。溝７１５は、ウェアラブル電子機器（この図には示さず）上の対応する突出部に係合するように構成されていてよい。このような形式で、ガイド７１８は、ウェアラブル電子機器をテンプルへの（例えば、磁気的吸着による）取り付け状態に磁気的に保持するように構成されていてよく、さらに、テンプルに対して相対的な１つ以上の方向（例えば、上下、面内回転、等）でのウェアラブル電子機器の動きを制限するように機能してよい。
【００５３】
図１０は、アイウェアシステム８０５のさらに別の実施形態を単純化して示した断面図である。このアイウェアシステムは、アイウェアフレームのテンプル８１０と、このテンプル８１０に係合したウェアラブル電子機器８１１（例えば、カメラ）とを有している。テンプル８１０は、プラスチックのような材料８２８から成っていて、強磁性材料、例えばステンレス鋼から成る挿入体８２０を含んでいる。ウェアラブル電子機器８１１は、テンプルガイド８１８を介してテンプル８１０にスライド可能に取り付けられている。ウェアラブル電子機器８１１は機器ガイド８１２を有していて、この機器ガイドはアーム８１７上に設けられている。アーム８１７は、テンプル８１０の上面８０９にわたって位置するように構成されている。アーム８１７は、異なる厚さのテンプル上に位置することができるように、伸ばすことができるようになっていてよい。機器ガイドは雄型ガイド（例えば、突出部８７０）として形成されていて、アームに取り付けられる磁石８１６を有している。
【００５４】
テンプル８１０はテンプルガイド８１８を含んでいてよい。この実施例のテンプルガイド８１８は、テンプル８１０の上面８０９上に位置していて、雌型ガイド（例えば、トラック８３０）の形態で設けられている。トラックは、テンプル（例えば、上面８０９に）形成された縦長のスロットによって画定されていて、挿入体８２０を露出させるのに十分な深さまで延在している。ガイド８１８は１つ以上のガイド面（例えば、トラック８３０の底部８３１および側壁８３３）を有していて、これらのガイド面は、テンプル８１０に対して相対的な１つ以上の方向でウェアラブル電子機器８１１の動きを制限するように使用可能である。少なくとも１つのガイド面、この場合は底部８３１は、テンプルの強磁性材料（例えば、挿入体）によって画定されている。いくつかの実施例では、磁石８１６は露出されていてよい、またはアームを形成する材料（例えば、硬質プラスチック材料）内に埋め込まれていてよい。この材料は、ウェアラブル電子機器８１１のハウジングに使用される材料と同じ材料であってよい。別の実施例では、コーティング（例えば、摩擦低減コーティング）が、磁石８１６とテンプル８１０との間の摩擦を減じるために磁石８１６の露出面上に設けられていてよい。さらに別の実施例では、磁石８１６および／または突出部８７０の底面は、トラック８３０の底部８３１から間隔を置いて位置していてよく、これにより突出部８７０は、ウェアラブル電子機器８１１がテンプル８１０に取り付けられているとき、突出部８７０の対向面とトラック８３０との間に小さなギャップを維持しながらトラック８３０の底部８３１の上方に浮いている。
【００５５】
ガイド８１２と８１８とは、トラックの底部に対して垂直の方向に沿ってトラック８３０内にウェアラブル電子機器８１１の一部（例えば、突出部８７０）を挿入することにより、ウェアラブル電子機器８１１を取り付け、および取り外しができるように構成されていることがわかる。このようにして、ウェアラブル電子機器８１１の取り付けおよび取り外しは簡単にすることができる。取り付けは、テンプル上にウェアラブル電子機器８１１を単に置いて、磁気的吸着力によりウェアラブル電子機器８１１をトラックに対して垂直に動かすことができるようにして、ウェアラブル電子機器８１１をテンプルとスナップ係合させることにより、達成することができる。したがって、取り付けおよび取り外しは、ウェアラブル電子機器８１１を固定するために小型化された、または入り組んだいかなる構成要素の操作も必要としなくてよく、これによりユーザーエクスペリエンスを向上させることができる。このような機能性は、勿論、本明細書で説明する別の実施形態に適用することもでき、したがって、図１〜図９につき説明した全ての実施形態または以下で説明する全ての実施形態に適用することができる。
【００５６】
本明細書の全ての実施例の態様は、本開示の任意の別の実施例と組み合わせて使用することができることは一般的に理解されるだろう。例えば、本明細書に記載された全てのテンプル（例えば、テンプル４１０，５１０，６１０，７１０，８１０等）は、図１のテンプル２４を形成するために使用することができ、全ての機器ガイド（例えば、ガイド４１２，５１２，８１２等）は、図１の機器ガイド１２を形成するために使用することができる。さらに、図１〜図５につき説明した、および図１１〜図１５につき以下にさらに説明するアイウェアシステムの１つ以上の態様は、図６〜図１０の実施例に適用することができる。
【００５７】
図１１〜図１３には、別の実施形態によるアイウェアシステムの構成要素が示されている。このアイウェアシステムは、アイウェア用のテンプル１１１０と、ウェアラブル電子機器（例えば、カメラ１１１１）とを有している。ウェアラブル電子機器（例えば、カメラ１１１１）をテンプル１１１０に取り付けるために、テンプルにはテンプルガイド１１１８が設けられている。テンプルガイド１１１８は、雄型ガイド（例えば、レール１１７０）として設けられている。レール１１７０は、テンプル１１１０の外面１１０７から突出している。テンプル１１１０は、外側材料１１２８（例えば、プラスチック）内に埋め込むことができる挿入体１１２０を含み、テンプル１１１０を補強するために機能することができる。
【００５８】
いくつかの実施例では、テンプルガイド１１１８は、強磁性材料（例えば、ステンレス鋼）を含んでいる。強磁性材料は、レールの１つ以上の面（例えば、上面１１７２および／または側壁１１７１）にコーティングとして設けられてもよい。いくつかの実施例では、レールは強磁性材料から成っていてよい。いくつかの実施例では、挿入体は強磁性材料から成っていてよい。いくつかの実施例では、挿入体１１２０とテンプルガイド１１１８とは同じ材料から成っていてよく、互いに一体に形成されてよい。図示した実施例に示したように、挿入体とテンプルガイドとは、テンプルの長さの一部に沿って１つのＴ字形ビーム（例えば、図１１、１２参照）を形成する。別の実施例では、挿入体とレールとは、異なる材料から成っていてよく、互いに接合されて、Ｔ字形ビームを形成する。異なる配置、例えば異なる横断面ジオメトリ（例えば、Ｌ字形ビーム、Ｉ字形ビーム、Ｕ字形ビーム等）を備えた挿入体とレールの組み合わせを使用することもできる。図示した実施例では、レールは挿入体の長さよりも短いが、レールの長さは、カメラにより長い経路を提供するために増大されてもよい。勿論、より短いレールを使用することもできる。いくつかの非限定的な特別な実施形態では、レールは約６５ｍｍ〜約１００ｍｍの長さであってよく、いくつかの実施例では、約７５ｍｍ〜約８５ｍｍであってよく、いくつかの実施例では８０ｍｍであってよい。
【００５９】
レール１１７０の前端部１１３５、レール１１７０の後端部１１３７、またはその両方は、斜めに面取りされていてよい。いくつかの実施例では、前端部１１３５、後端部１１３７、またはその両方は、カメラがレール方向に沿ってレールから滑り落ちるのを防止するために硬いストッパを含んでいてよい。図示した実施形態では、レールはほぼ矩形の断面を有し、これによりカメラ１１１１は、レール（例えば、上面１１７２）に垂直な方向でレールに取り付けることができ、レールから取り外すことができる。別の横断面のレールを使用することもできる。レール１１７０は所定の方向（例えば、テンプル１１１０の中心線）に整合していてよく、したがって、カメラ１１１１の向き（例えば、カメラ１１１１の視野の線）を所定の方向（例えば、テンプル１１１０の中心線）に整合させるために機能することができる。
【００６０】
カメラ１１１１は機器ガイド１１１２を有していて、この機器ガイドは、テンプルガイド１１１８に係合するように構成されている。テンプルガイド１１１８および機器ガイド１１１２はそれぞれ、互いにスライド可能に係合するように構成されていてよい。換言すると、ウェアラブル電子機器（例えば、カメラ１１１１）は、ウェアラブル電子機器がテンプルに取り付けられているとき、テンプルガイド１１１８に沿ってスライド可能である。例えば、機器ガイド１１１２は、レール１１７０を収容するためのガイド通路１１７４を画定していてよい。特別に図示した実施形態では、機器ガイド１１１２は第１および第２のガイド部材１１７６を有していて、これらのガイド部材の間に通路１１７４が画定されている。ガイド部材１１７６は、カメラ１１１１の動きをレール１１７０により画定された方向に制限するために、レール１１７０の対向面（例えば、隣接する側壁１１７１）にそれぞれ設けられるように形成されていてよい。ガイド部材１１７６は、カメラのハウジングに取り付けられていてよい、またはカメラのハウジングと一体に形成されていてよい。図示した実施例では、機器ガイド１１１２は、テンプルガイド１１１８を介してテンプルに磁気的に取り付けられるように構成されている。このために、機器ガイドは磁石１１７８を有している。磁石１１７８は、ガイド部材１１７６の間の通路１１７４に配置されている。いくつかの実施例では、テンプルとガイド部材１１１８，１１１２とはそれぞれ、カメラ１１１１がテンプルに取り付けられているとき、レール１１７０の上面１１７２に磁石１１７８が接触しないように構成されている。例えば、レール１１７０の高さと通路１１７４の深さとは、磁石１１７８とレール１１７０の強磁性材料との間の磁気的吸着力が、カメラ１１１１をテンプルへの取り付け状態に維持している間、通路の底部とレール１１７０の上面１１７２との間にギャップが維持されるように選択されていてよい。
【００６１】
図１４Ａ〜図１４Ｄは、別の実施形態による短いテンプルガイドを備えたアイウェアテンプル１４１０を示している。図１４Ａ〜図１４Ｄに図示したように、本開示によるテンプルガイド１４１８は、ワイヤテンプルとも呼ばれる薄い金属テンプルのような極めて薄いテンプルにも設けることができる。テンプルガイド１４１８は、テンプルの小さい部分のみに沿って、例えば、テンプルの長さの約５０％未満のみに沿って延在していてよく、いくつかの実施例では、テンプルの長さの約３０％未満のみに沿って延在していてよい。いくつかの実施例では、ガイド１４１８は、テンプルのほぼまっすぐなアーム部分の長さの約１／３にわたって延在しているが、別の実施形態では、ガイドの長さは異なっていてよい。この目的で、テンプル１４１０は比較的広いランディングまたは前方部１４８０を含んでいてよく、この前方部１４８０は、テンプルの耳あて部分を形成するように湾曲している比較的細い後方部分１４８２に取り付けられている、またはこの後方部１４８２に一体に形成されている。いくつかの実施例では、前方部におけるテンプルの幅ＷＦは、後方部における幅ＷＡよりも少なくとも３倍大きくてよい。図１４Ａ〜図１４Ｄには、矩形の横断面を備えたテンプルの実施形態が示されているが、前方部および／または後方部の横断面は異なっていてもよい（例えば、後方部は、円形の横断面であってもよい）。ランディング部１４８０は、より細い後方部１４８２に向かって、これら２つの部分の間の境界部で先細りしていてよい。
【００６２】
ガイド１４１８は、本明細書で説明したガイド機構のうちの１つ以上を有していてよい。例えばガイド１４１８は、テンプルのランディング部１４８０に形成された雌型ガイド（例えば、トラック）の形態であってよい。トラックは、強磁性材料を含む底部１４３１を有していてよい。いくつかの実施例では、テンプル１４１０自体が強磁性材料から成っていてよく、ガイドは、テンプルの外面１４０７内に切り込まれた溝によって形成されてよく、この場合テンプルの材料がガイド面を提供している。別の実施例では、テンプル１４１０は、雌型ガイド１４１８の底部に設けられた強磁性材料の層またはストリップ１４７０を含んでいてよい。さらに別の実施例では、ガイド１４１８は、図１１の実施例と同様に突出部の形態で形成されている雄型ガイドであってよい。
【００６３】
本開示のいくつかの実施例によれば、ウェアラブル電子機器をアイウェアに取り付けるためのアダプタが説明される。アダプタは、ウェアラブル機器アダプタを使用してウェアラブル電子機器がアイウェアに取り付けられているときに、アイウェアテンプルに対して相対的に、予め規定された向きでウェアラブル電子機器を整列させるように構成されていてよい。アダプタは、ウェアラブル機器アダプタを使用してウェアラブル電子機器がアイウェアに取り付けられているときに、テンプルの外面に対してウェアラブル電子機器を位置決めするように構成されていてよい。
【００６４】
アダプタは、本体と金属機構とを有していてよい。本体は、異なる形状の複数のアイウェアフレームのアイウェアテンプルにアダプタを取り外し可能に取り付けるように構成されていてよい。いくつかの実施例では、本体は、アイウェアテンプルの周りの少なくとも一部に設けられるように構成されていてよい。例えば本体は、テンプルにアダプタを固定するためにテンプルを挿入することができる通路を画定していてよい。いくつかの実施例では、本体は、異なるサイズのテンプルを収容するために調節可能（例えば、伸縮可能、またはその他の形式で調節可能）に形成されていてよい。すなわち通路は、公称の形状またはサイズから他の形状またはサイズへと調節可能であってよい。例えば、本体は、伸縮性プラスチック材料のような伸縮可能な材料から形成することができる。いくつかの実施例では、本体は、ウレタンまたはゴム（例えば、ネオプレンゴム）から成っていてよい。本体は、ポリ塩化ビニル、末端にアクリル基を有するウレタンポリマ、ポリウレタン、エポキシアクリレート、エポキシウレタン、ポリエチレン、ポリプロピレン、ポリエーテル、ポリビニルアセテート、ポリシロキサン、シロキシアクリレート、またはそれらの組み合わせを含む材料から形成することができる。別の材料を使用してもよい。いくつかの実施例では、本体は、天然繊維または合成繊維を含む織布から成っていてよい。アダプタの金属機構は本体に取り付けられていて、ウェアラブル電子機器をアダプタとの取り付け状態に磁気的に保持するように構成されている。
【００６５】
図１５は、ウェアラブル機器（例えば、カメラ）をアイウェアに取り付けるためのアダプタ１７００の１つの実施形態を示す。アダプタ１７００は、本体１７０２と磁気的機構１７０４とを有している。本体１７０２は、異なるサイズの様々なアイウェアテンプルにアダプタ１７００を取り外し可能に取り付けることができるように構成されていてよい。本体１７０２は、伸縮可能な材料（例えば、ウレタン、ゴム、伸縮性布、またはその他）から形成されたチューブ状部材（例えば、スリーブ）であってよい。本体１７０２は、例えば、本体１７０２の伸縮可能な材料により画定された通路１７１４を通してアイウェアテンプルを挿入することにより、アイウェアテンプルの周りに配置可能であってよい。通路１７１４は、円形、楕円形、またはその他異なる形状であってよい。
【００６６】
磁気的機構１７０４は、磁石を含んでいてよい、または磁石に吸着可能であってよい。例えば、磁気的機構１７０４は、磁気的材料（例えば、強磁性材料）から成るストリップ１７０６であってよい。さらに別の実施例では、磁気的機構１７０４は、ストリップ１７０６の露出面に磁気的材料の層が設けられた非強磁性材料から成るストリップ１７０６を含んでいてよい。ストリップ１７０６は、本体１７０２と、溝１７１２を画定するアダプタプレート１７０８との間に設けられていてよい。いくつかの実施例では、ストリップ１７０６は、本体１７０２に取り付けられて（例えば、接着されて、締結されて）よい。いくつかの実施例では、アダプタプレート１７０８は、ストリップ１７０６を備えた本体１７０２に取り付けられてよく（例えば、接着または締結される）、このストリップ１７０６はアダプタプレート１７０８と本体１７０２との間に挟まれているので、アダプタプレート１７０８がストリップ１７０６を本体１７０２に取り付けている。いくつかの実施例では、ストリップ１７０６は、アダプタプレート１７０８に固定（例えば、接着）されていてよいが、本体１７０２には固定されていなくてよい。アダプタプレート１７０８とストリップ１７０６とは本体１７０２から取り外すことができ、これにより、異なるサイズまたは形状の溝を有した別のアダプタプレートを本体１７０２に取り付けることができる。これにより異なるウェアラブル機器への取り付けが可能となる。いくつかの実施例では、１つの万能アダプタによって、殆ど全てのアイウェアに、任意のこのようなウェアラブル機器を取り付けることができるように、様々なウェアラブル機器における機器ガイドを標準化することができる。
【００６７】
磁気的機構１７０４は、例えば壁１７１６に沿って中心に配置された本体の外面に取り付けられてもよい。このようにして、ウェアラブル電子機器がアダプタ１７００を介してアイウェアテンプルに取り付けられているとき、ウェアラブル電子機器をテンプルの中心線にほぼ整列させることができる。テンプルの中心線に対してウェアラブル電子機器の向きを調整することができるように、本体１７０２は、テンプルの長手方向軸線を中心として回転可能であってよい。
【００６８】
いくつかの実施例では、金属機構は、ウェアラブル電子機器とテンプルとの間の、取り外し可能な取り付け、およびスライド可能な係合を可能にすることができるウェアラブル電子機器のためのガイドの部分であってよい。このような実施例では、アダプタは、テンプルに対して相対的にウェアラブル電子機器の向きを固定することができるが、テンプル上のウェアラブル電子機器の位置は固定しなくてよい。別の実施例では、金属機構は、アダプタに対して相対的にウェアラブル電子機器の位置及び向きの両方を実質的に固定するように構成された取り付け境界部の部分であってよい。このような実施例では、取り付け境界部は、機器ガイドのサイズおよび形状にほぼ対応するサイズおよび形状を有していてよい。取り付け境界部は、機器ガイドを収容し、ウェアラブル電子機器の動きを長手方向および横方向の両方向で制限するように構成されていてよい（製造誤差により生じる可能性があるので各方向でプラスまたはマイナスの僅かな動きがある）。取り付け境界部と機器ガイドとが、協働する嵌合部に係合すると、ウェアラブル電子機器をアダプタに対して（例えば、移動不能に）固定することができる。
【００６９】
図１６は、ウェアラブル電子機器（例えば、カメラ）をアイウェア（例えば、アイウェア１５０１）に取り付けるためのアダプタ１５２０の別の実施形態を示す。アダプタ１５２０は、本体１５２４と、本体１５２４に取り付けられた磁気的機構１５２２とを有している。本体１５２４は、異なるサイズの様々なアイウェアテンプルにアダプタ１５２０を取り外し可能に取り付けることができるように構成されていてよい。１つ以上の柔軟な取付け部１５２８が、本体１５２４の境界部１５３０から延在している。柔軟な取付け部１５２８、境界部１５３０、またはその両方は、伸縮可能な材料（例えば、伸縮性織布）から成っていてよい。使用中、柔軟な取付け部１５２８を、テンプルの周りに巻き付けるように（例えば、矢印１５３５により示したように）外側に向かって折り曲げることができ、柔軟な取付け部１５２８の端部を、例えば接着剤または締結装置を使用して、境界部へと固定することができる。これにより本体１５２４はテンプル１５１０の周りを取り囲む（例えば、本体１５２４は、テンプル１５１０の横断面を取り囲む）。いくつかの実施例では、柔軟な取付け部１５２８と境界部１５３０とは、例えば、粘着性接着剤を使用せずにそれ自体に付着することができる伸縮性織布の１つのシートから一体に形成することができる。例えば、柔軟な取付け部１５２８と境界部１５３０とは、医療用途で包帯またはラップのために使用されるのと同様の自己付着テープから形成されてよい。粘着性接着剤を含まない自己付着材料の使用により、テンプルの損傷（例えば、接着剤の粘着性残留物によるテンプルの美的表面の傷）を防ぐことができる。別の実施例では、固定されたときに、柔軟な取付け部１５２８の下にある境界部１５３０の端部のみが、自己付着性材料から形成されてもよい。別の実施例では、アダプタ１５２０を、任意の様々な凹部形状に取り外し可能に取り付けることができるようにするために材料と固定手段の別の組み合わせを使用することもできる。アダプタ１５２０、またはアダプタの少なくとも一部は、テンプルに取り付けられた際に、テンプルを取り囲んで、アダプタ１７００と類似の通路を画定する。アダプタ１５２０は、テンプルに取り付けられた際、ウェアラブル電子機器の位置、位置合わせ、向きを調節するためにテンプルに沿って回転可能、かつ／または移動可能であってよい。
【００７０】
磁気的機構１５２２は、例えば従来の技術手段（例えば、接着材、ファスナ、またはクリップまたはブラケットのような仲介的な機械的構成要素）を使用して、本体１５２４の境界部１５３０に取り付けられてよい。いくつかの実施例では、磁気的機構は、前述の実施例のアダプタプレート１７０８と類似のものであってよいアダプタプレート１５２６を使用して取り付けられてよい。アダプタプレート１５２６は、ウェアラブル電子機器の機器ガイドに協働して嵌合するように構成された溝を有していてよい。いくつかの実施例では、アダプタと対応する溝とは、アダプタに対して相対的にウェアラブル電子機器の位置を固定するようなサイズとされていてよい。換言すると、溝は、機器ガイドの突出部の形状またはサイズに対応する形状またはサイズであってよく、これにより、突出部が溝に挿入されている場合には、ウェアラブル電子機器はアダプタに対して相対的な長手方向または横方向での動きを実質的に阻止されていて、アダプタに対するウェアラブル電子機器の取り付けおよび取り外しを可能にするために、磁気的機構１５２２に対して垂直な方向（例えば、図１６Ａの図平面の外側）でのみ自由に動くことができる。別の実施例では、溝は、本明細書で説明したテンプルガイドと同様にスライド可能な係合を可能にするために比較的長くてよい。
【００７１】
ガイドおよびこのようなガイドを含むアイウェアシステムの実施例を、本明細書では、カメラの形態のウェアラブル電子機器を例として説明したが、ウェアラブル電子機器１０は殆ど全ての小型化された電子機器であってよく、限定することのない例として、カメラ、画像取込デバイス、ＩＲカメラ、スチールカメラ、ビデオカメラ、画像表示システム、イメージセンサ、リピータ、共鳴器、センサ、増音器、指向性マイクロホン、電子的構成要素を支持するアイウェア、分光計、指向性マイクロホン、マイクロホン、カメラシステム、赤外線映像システム、暗視補助装置、ナイトライト、照明システム、センサ、歩数計、無線携帯電話、携帯電話、無線通信システム、プロジェクタ、レーザー、ホログラフデバイス、ホログラフシステム、ディスプレイ、ラジオ、ＧＰＳ、データ記憶装置、メモリ保持装置、電源、スピーカ、転倒検出装置、覚醒状態モニタ、ジオロケーション、脈検出器、ゲーム、視線計測、瞳孔モニタ、アラーム、大気質センサ、ＣＯセンサ、ＣＯ検出器、ＣＯ２センサ、ＣＯ２検出器、空気粒子センサ、空気粒子メータ、ＵＶセンサ、ＨＥＶセンサ、ＵＶメータ、ＩＲセンサ、ＩＲメータ、温度センサ、温度計、空気不足センサ、空気不足モニタ、口臭センサ、口臭モニタ、アルコールセンサ、アルコールモニタ、モーションセンサ、モーションモニタ、体温計、煙センサ、煙検出器、ピルリマインダ、サウンド再生装置、サウンドレコーダ、スピーカ、音響増幅装置、音響キャンセリング装置、補聴器、補助聴覚支援装置、情報イヤフォン、スマートイヤフォン、スマートイヤウェアラブル、ビデオ再生装置、ビデオレコーダ装置、イメージセンサ、転倒検出装置、覚醒状態センサ、覚醒状態モニタ、情報アラートモニタ、ヘルスセンサ、ヘルスモニタ、フィットネスセンサ、フィットネスモニタ、生理センサ、生理モニタ、ムードセンサ、ムードモニタ、ストレスモニタ、歩数計、動き検出装置、ジオロケーション、脈検出器、無線通信デバイス、ゲーム機器、電子的構成要素を有するアイウェア、拡張現実システム、仮想現実システム、視線計測機器、瞳孔センサ、瞳孔モニタ、自動リマインダ、ライト、アラーム、携帯電話機器、電話、モバイル通信デバイス、空気不足品質アラート機器、睡眠検出器、睡気検出器、アルコール検出器、体温計、屈折誤差測定機器、波面測定機器、収差計、ＧＰＳシステム、煙検出器、ピルリマインダ、スピーカ、運動エネルギ源、マイクロホン、プロジェクタ、仮想キーボード、顔認識装置、声認識装置、音声認識システム、放射線検出器、放射検出器、ラドン検出器、水分検出器、湿度検出器、大気圧インジケータ、騒音インジケータ、ノイズインジケータ、音響センサ、距離測定器、レーザーシステム、地形センサ、モータ、ミクロモータ、ナノモータ、スイッチ、バッテリ、ダイナモ、熱出力源、燃料電池、太陽電池、運動エネルギ源、熱電源、ブルートゥースヘッドセットのようなブルートゥース通信デバイス、補聴器、またはオーディオシステムであってよい。いくつかの実施例では、ウェアラブル電子機器はスマートデバイスであってよい。
【００７２】
本開示は、例として、いくつかの実施形態の図と説明を含むが、当業者には、説明した実施形態のいくつかの改良や、別の実施形態も、本発明の思想と範囲を逸脱することなく可能であることが理解されるだろう。全ての説明された実施形態の全ての構成要素、機構、または態様は、本開示の範囲を制限することなく、かつ本開示の範囲から逸脱することなく、互いに組み合わせて使用することができることは勿論である。本明細書で説明した全ての実施形態の１つ以上の態様は、別の実施形態の態様と組み合わせて使用することもできることが理解されるだろう。さらに、本明細書の図面の１つ以上の図は、一定の縮尺でなくてよく、いくつかの特徴は、本発明の態様を明確に説明するために誇張して示されていてよいことが理解されるだろう。
【図１】
2018521345.tif 000003
【図２Ａ】
2018521345.tif 000004
【図２Ｂ】
2018521345.tif 000005
【図２Ｃ】
2018521345.tif 000006
【図２Ｄ】
2018521345.tif 000007
【図３Ａ】
2018521345.tif 000008
【図３Ｂ】
2018521345.tif 000009
【図４Ａ】
2018521345.tif 000010
【図４Ｂ】
2018521345.tif 000011
【図４Ｃ】
2018521345.tif 000012
【図５Ａ】
2018521345.tif 000013
【図５Ｂ】
2018521345.tif 000014
【図５Ｃ】
2018521345.tif 000015
【図６】
2018521345.tif 000016
【図７】
2018521345.tif 000017
【図８Ａ】
2018521345.tif 000018
【図８Ｂ】
2018521345.tif 000019
【図９Ａ】
2018521345.tif 000020
【図９Ｂ】
2018521345.tif 000021
【図１０】
2018521345.tif 000022
【図１１】
2018521345.tif 000023
【図１２Ａ】
2018521345.tif 000024
【図１２Ｂ】
2018521345.tif 000025
【図１２Ｃ】
2018521345.tif 000026
【図１３】
2018521345.tif 000027
【図１４Ａ】
2018521345.tif 000028
【図１４Ｂ】
2018521345.tif 000029
【図１４Ｃ】
2018521345.tif 000030
【図１４Ｄ】
2018521345.tif 000031
【図１５Ａ】
2018521345.tif 000032
【図１５Ｂ】
2018521345.tif 000033
【図１５Ｃ】
2018521345.tif 000034
【図１５Ｄ】
2018521345.tif 000035
【図１５Ｅ】
2018521345.tif 000036
【図１６Ａ】
2018521345.tif 000037
【図１６Ｂ】
2018521345.tif 000038
【図１７Ａ】
2018521345.tif 000039
【図１７Ｂ】
2018521345.tif 000040
【図１７Ｃ】
2018521345.tif 000041
【図１８Ａ】
2018521345.tif 000042
【図１８Ｂ】
2018521345.tif 000043
【図１９】
2018521345.tif 000044
【国際調査報告】
2018521345.tif 000045
2018521345.tif 000046